(57)【要約】【課題】本発明はペットの通過前後はドアーの左右、上下共に完全にシールし、居住空間への雨、風、埃、虫、および他の動物の侵入を防止する。そして、停電などの異常時には、ペットの力で押し開けができる安全なペット自動シールロックドアーを提供する。【解決手段】ペット用のX軸回転ドアーにおいて、左右および上下のドアーとのシールを行うためのU形シール部材は可撓性に富んだゴムシート材であり、直接ドアーの側面或いは下側面と接し、シールをすると同時に、以降記述する構成部材を水、埃から保護する役目を果たす。該シール部材を接着支持しながらX軸或いはY軸方向に移動させるための1対のコ型形状の摺動部材および該摺動部材を摺動可能に格納するケース、並びに、該摺動部材をセンサーの指令により、X軸或いはY軸方向に駆動するための複数個の電磁石と指令がない時にシールする側に付勢する複数の弾性部材から成る。 【選択図】        図2
2007020480.tif 000002
【特許請求の範囲】
【請求項１】
ペット用のX軸回転ドアーにおいて、左右および上下のドアーとのシールを行うためのU形シール部材、該シール部材を支持しながらX軸或いはY軸方向に移動させるための1対の摺動部材およびケース、並びに、該摺動部材をセンサーの指令により、X軸或いはY軸方向に駆動するための複数個の電磁石と指令がない時にシールする側に付勢する複数の弾性部材から成るペット用シールロックドアー
【請求項２】
請求項１のペット用自動シールロックドアーにおいて、ドアーを完全に機械的にロックするための電磁ロック装置を付加したペット用自動シールロックドアー
【発明の詳細な説明】
【技術分野】
【０００１】
本発明はペット用のドアーに関するものである。
【背景技術】
【０００２】
屋内で飼われるペットが庭とかベランダと自由に行き来しながら、用を足すとか運動させる必要がる場合には、X軸にフリー回転するペット用ドアーを居住区のドアーや壁に設けたりしているのが一般的である。
【特許文献１】特許公開２００１−１９０１７０
【０００３】
近年、高齢化と少子化が進み、ペットを飼う家庭が増え、また、マンションにおいてもペットが飼える様に施工されてきている。また、観光ホテルにおいてもペットと共に宿泊できるように工夫されてきている。
しかしながら、従来型の居住空間との間に設けられた回転式ペットドアーはペットは自由に出入りできるが、ドアーとフレームの間に必ず或る隙間が存在する。そのため、居住空間に隙間風や埃が入ったり、時には、虫や他の動物が侵入することもあり、人間にとって誠に不都合なドアーであった。また、防犯上もこのドアーが不安の種になっている。
更に、屋外にある犬小屋は一般的に開放型の入り口となっているが、夏は涼しいがここから蚊などが侵入し、冬は、寒い風や冷たい雨が入り込む。従来の回転式ドアーを犬小屋に設けても蚊や、寒い風および冷たい雨を完全に防ぐことは出来ない。
【０００４】
そのため、このような回転式のドアーを使用せず、ペットが用を足すとか運動させる場合には人がわざわざ外に出したり、或いは、全て、室内に設けたペット用トイレで用足しさせることが多い。しかしながら、居住空間はダニや毛やペット臭で不潔な環境に変化してしまう。
【０００５】
この様な問題解決のために、人用の左右スライド型ドアーを小型にしてペット用スライドシールドアーにすることも考えられる。しかしながら、誤ってスライド式ドアーがペットの首や足を挟むこともある。時には、停電でペットが閉じ込められることもある。つまり、非常時にペットの意思でドアーを開けることができないという欠陥がある。
【発明の開示】
【発明が解決しようとする課題】
【０００６】
本発明はX軸回転ドアーの開閉はペットの意思で行い、ペットの通過前後はドアーの左右、上下共に完全にシールし、居住空間への雨、風、埃、虫、および他の動物の侵入を防止する。そして、停電などの異常時には、ペットの力で押し開けができる安全なペット自動シールロックドアーを提供する。
また、オプションでセクリティを重視する場合には、電磁ロックを作動させる構成となるが、この場合の異常時におけるペットの通過は不能となる。また、本電磁ロックを使用し、ペットを屋外或いは屋内に一時的に強制的に拘束することも可能となる。
【課題を解決するための手段】
【０００７】
ペット用のX軸回転ドアーにおいて、左右および上下のドアーとのシールを行うためのU形シール部材は可撓性に富んだゴムシート材であり、直接ドアーの側面或いは下側面と接し、シールをすると同時に、以降記述する構成部材を水、埃から保護する役目を果たす。
該シール部材を接着支持しながらX軸或いはY軸方向に移動させるための1対のコ型形状の摺動部材および該摺動部材を摺動可能に格納するケース、並びに、該摺動部材をセンサーの指令により、X軸或いはY軸方向に駆動するための複数個の電磁石と指令がない時にシールする側に付勢する複数の弾性部材から成る。
また、ドアフレームに取り付けられ、センサーの信号により、ドアーの側面に直接ロックピンを差し込んでロックする電磁ロックをオプションとして備える構成とする。
【発明の効果】
【０００８】
以上説明したように本発明のペット用シールロックドアーは屋内で飼われるペットの通過をペットの首に着けられた発信器でセンシングして、シールロックの解除を行うため、ペットの意思でドアーの開閉が安全にできる。ペットの通過後は完全な居住空間と外部との遮断シールができるため、不本意な雨風、埃、および虫などの侵入を防止できると共に、センサーを着けていない他の動物の侵入も阻止できる。
また、犬小屋に本ドアーを設けることで、冬場の寒気の遮断、夏場の蚊などの虫の侵入を防止し、屋外で飼われるペットの生活環境を大いに改善できる。
更に、本ドアーから侵入する空き巣などの防止のため、電磁ロックを備えることもオプションとして考えられる。また、突然の訪問客があっても強制的に前記電磁ロックを効かして、ペットを屋内または屋外に一時的に拘束することも可能である。
【発明を実施するための最良の形態】
【０００９】
前述のシールロック、電磁ロックおよび信号受信部が一体にくみこまれたペットドアーアッセンブリーとペットの首輪に取り付けられた信号発信部で構成され、住居の勝手口、ペランダとのサッシ或いは犬小屋に直接取り付ける形で使用される。
【実施例１】
【００１０】
図1の実施例はペット用シールロックドアー1が一般的な通用ドアー3に取り付いた状態と犬小屋4に取り付いた状態を示す。更に、信号発信器2例えば、磁気センサー等が犬の首輪に付いた状態を示したものである。
【００１１】
図2aの実施例はペット用シールロックドアー1の正面断面図を示し、そして、図2ｂは側面断面図を示す。ドアー板5はクランプ14で上端部をクランプされ、複数個のピン15で固定されている。該クランプ14には回転軸13が挿入され、ドアーフレーム6ｄに対し回転自由に取り付けられているため前記ドアー板５は回転軸13を中心に矢印方向に回転し、ペットの出入りを自由にさせる構成となっている。
前記ドアー板5の右側面とドアーフレーム6bの間にU形シール部材7a、摺動部材8aおよびケース9aが配置されている。該U形シール部材は可撓性に富むゴムシート材であり、前記摺動部材8aに一部を接着支持されており、且つ、前記ケース9aのにも接着され、前記摺動部材8aなどの内部部材の埃や水に対する保護の役目も担っている。また、該摺動部材8aはドアーフレーム6aに固定された電磁石10の鉄心12と左端部を固定されており、電磁石が励磁されていない状態では弾性部材11aで前記摺動部材8aおよびU形シール部材7aをドアー板5の右側面を押圧し、同時にドアーフレーム6cにドアー板5の左側面も押圧する構成となっている。
更に、前記ケース9aのコ型部には前記摺動部材8aがX軸方向に摺動可能に勘合されている。そして、前記ケース9a自体はドアーフレーム6aに溶接などで固定されている。
一方、ドアー板5の下端部には同様にドアーフレーム6bとの間にU形シール部材7b、摺動部材8bおよびケース9bが配置されている。前述と同様に電磁石10が励磁されていない状態では弾性部材11bで前記摺動部材8bおよびU形シール部材7bをドアー板5の下側面に押圧し、同時にドアーフレーム6dにドアー板5の上側面も押圧する構成となっている。
従って、上下に取り付けられた複数個の電磁石10が励磁されていない状態では、弾性部材11により、右および下側に位置するU形シール部材7が前記ドアー板10に当接し、シールロックの状態(図2a,2bのごとく)となり、居住空間と屋外を完全に遮断シールする。そして、前記複数個の電磁石10が励磁されると弾性部材11に抗してU形シール部材7が引かれ、シールロックを解除し、前記ドアー板5が回転自由となり、ペットの通過を可能とする。
これらの電磁石の励磁と解除を制御する制御盤16は前記ドアフレーム6の面に取り付けられている。そして、ハ−ネス18は受信部17と各電磁石10を電気的に結線している。また、全部品がドアーフレーム6に一体的に組み込まれ、この状態で通用ドアー3や犬小屋4にセットされる構成となっている。
【００１２】
図3はオプションとしての実施例の正面断面図を示す。防犯上のオプションとして、ドアーフレーム6aに固定された電磁石20とドアー板５に形成されたノッチ5aおよび該ノッチ5aに適時勘合するロックピン19から構成される電磁ロックを追加している。該電磁ロックは防犯上ペットが通過した後、自動的にロックするように制御される。また、別のマニュアルスイッチ（不記）で強制的にロックおよび解除を選択できる構成となっている。
【図面の簡単な説明】
【００１３】
【図１】本発明のペット自動シールロックドアーが一般的な通用ドアーや犬小屋に取り付いた状態を示す。
【図２】本発明の実施例の一つで正面断面図2aと側面断面図2bを示す。
【図３】本発明の他の実施例の一つでオプションでセキュリティ用の電磁ロックを追加した正面断面図を示す。
【符号の説明】
【００１４】
１  ペット用自動シールロックドアー  
２  首輪発信センサー  
３  通用ドアー  
４  犬小屋
５  ドアー板
６  ドアーフレーム  
７  U形シール部材  
８  摺動部材
９  ケース
１０  電磁石  
１１  弾性部材
【図１】
2007020480.tif 000003
【図２】
2007020480.tif 000004
【図３】
2007020480.tif 000005